(57)【要約】【課題】大小のトイレットペーパを保持してペーパを無駄なく使うことができ、ペーパの取替えの頻度を少なくできるトイレットペーパホルダを提供する。【解決手段】ホルダ本体１は箱中に作動板５とそれを動作させる操作体６を備え、作動板５はホルダ本体１に対し回動自在に支承され、小ペーパロール支持部１１が下部に、大ペーパロール支持部１２が上部となるように配置し、操作体６はホルダ本体１に対し回動自在に支承され、一方の腕の先端には作動板５を回動しないように支承するロック部２１を形成し、他方の腕には持手部２３と、ホルダ本体１の内側に向かって突出するストッパ部２２を形成し、持手部２３を操作して操作体６を回動させ、ストッパ部２２が使い終わった小ペーパロール７に当接すると、ロック部２１は支承部１３から外れて、作動板５は回動し、大ペーパロール８をペーパ取出口４から引出せるように構成してなる。【選択図】  図１
2004243098.tif 000002
【特許請求の範囲】
【請求項１】
使用に供する小ペーパロールと予備として備える大ペーパロールとを上下に配置して納める箱形形状のホルダ本体からなり、該ホルダ本体の下部にペーパ取出口を有するトイレットペーパホルダであって、
上記ホルダ本体は箱中に作動板と該作動板を動作させる操作体を備え、
上記作動板は、小ペーパロール支持部を下部に、大ペーパロール支持部を上部にそれぞれ備えると共に、上記ホルダ本体に対し回動自在に支承されてなり、
上記操作体は上記ホルダ本体に対し回動自在に支承され、上記作動板の回動を一時的に静止するためのロック部と、該ロック部の作動板からの解除を一時的に停止するためのストッパ部を備えてなり、
上記操作体を少量以下となった小ペーパロールに上記ストッパ部が近接する位置まで回動させると、上記ロック部は作動板から解除され、上記作動板は回動支点を中心に回動し、上記大ペーパロール支持部に保持された大ペーパロールを上記ペーパ取出口から引出せるように構成してなることを特徴とするトイレットペーパホルダ。
【請求項２】
上記作動板は対角線上に作動点を有すると共に、他の対角線上に支持点を有し、上記作動点は上記作動板をホルダ本体に対して回動自在に支承する回動支点と、上記ロック部に支承される支承部からなり、上記支持点は上記小ペーパロール支持部と大ペーパロール支持部からなることを特徴とする請求項１記載のトイレットペーパホルダ。
【請求項３】
上記操作体は該操作体をホルダ本体に対して回動自在に支承する回転軸を有し、該回転軸から延びる一方の腕には上記作動板を支承する上記ロック部を形成し、他方の腕には上記ストッパ部を形成してなることを特徴とする請求項２記載のトイレットペーパホルダ。
【請求項４】
上記作動板の支承部は切欠状に形成され、上記ロック部は上記支承部に略適合する形状に形成されてなることを特徴とする請求項２または３記載のトイレットペーパホルダ。
【請求項５】
上記ロック部は操作体が回動すると上記支承部を介して作動板を僅かに持ち上げるような円弧状に形成されてなることを特徴とする請求項４記載のトイレットペーパホルダ。
【請求項６】
上記回動支点は上記ホルダ本体の側面壁近傍に設けられ、上記作動板は回動を終了した状態において上記回動支点の下方に上記小ペーパロール支持部を有すると共に、上記回動支点の側方に上記大ペーパロール支持部を有するように配置されてなることを特徴とする請求項２〜５のいずれか１項に記載のトイレットペーパホルダ。
【請求項７】
上記操作体のロック部とストッパ部の間を滑らかな曲線にて構成してなり、上記作動板の支承部が上記操作体の曲線に当接しながら動作することを特徴とする請求項２〜６のいずれか１項に記載のトイレットペーパホルダ。
【請求項８】
上記操作体はストッパ部からホルダ本体の外部に突出する持手部を有してなることを特徴とする請求項１〜７のいずれか１項に記載のトイレットペーパホルダ。
【請求項９】
上記操作体は回転軸をホルダ本体の外部に突出させてその先端に持手部を形成してなることを特徴とする請求項１〜７のいずれか１項に記載のトイレットペーパホルダ。
【請求項１０】
上記ホルダ本体はペーパ取出口近傍に設けられたヒンジ部を介して前面蓋を有し、該前面蓋には上記小ペーパロールまたは大ペーパロールを視認できる残量確認窓を形成し、該残量確認窓の内面側には上下方向の細長状に突出したペーパ押さえ部を形成してなることを特徴とする請求項１〜９のいずれか１項に記載のトイレットペーパホルダ。
【請求項１１】
上記ペーパ押さえ部は所定の残量になった上記大ペーパロールの外周位置と略同じ位置が上端となるように形成してなることを特徴とする請求項１〜１０のいずれか１項に記載のトイレットペーパホルダ。
【請求項１２】
上記ホルダ本体はペーパ取出口近傍を垂下させた垂下板を備えると共に、上記前面蓋の下部をアーチ状に形成してなり、上記垂下板の下端と上記前面蓋のアーチ状に形成された下端にはペーパ切断部を略連続状に形成してなることを特徴とする請求項１０または１１記載のトイレットペーパホルダ。
【請求項１３】
上記作動板の大ペーパロール支持部の下方には、上記回動支点から小ペーパロール支持部の上方に向かう曲線状のガイド壁を設け、上記大ペーパロールは大ペーパロール支持部と小ペーパロール支持部の間から引き出すように構成してなることを特徴とする請求項２〜１２のいずれか１項に記載のトイレットペーパホルダ。
【請求項１４】
上記ホルダ本体における上記作動板の側面に対向する内側面には回動した上記作動板の動作を緩衝するクッション部を設けたことを特徴とする請求項１〜１３のいずれか１項に記載のトイレットペーパホルダ。
【請求項１５】
上記クッション部は蛇腹状の中空体からなると共に、適所に空気孔を設けてなることを特徴とする請求項１４記載のトイレットペーパホルダ。
【請求項１６】
上記クッション部は板バネからなり、該板バネは一端を上記ホルダ本体の内側面に固定すると共に、他端を摺動自在としてなることを特徴とする請求項１４記載のトイレットペーパホルダ。
【請求項１７】
上記作動板の回動支点は回動に対する抵抗力を発生するダンパを備えてなることを特徴とする請求項１〜１３のいずれか１項に記載のトイレットペーパホルダ。
【請求項１８】
上記ホルダ本体はその底面に上記作動板の回動に略適合する案内溝を備えると共に、上記作動板は上記案内溝に対して摺動自在に保持される案内片を備えることを特徴とする請求項１〜１７のいずれか１項に記載のトイレットペーパホルダ。
【請求項１９】
上記ホルダ本体はその底面に突起状の案内片を備えると共に、上記作動板はその動作に伴って上記案内片に対して摺動自在な案内溝を備えることを特徴とする請求項１〜１７のいずれか１項に記載のトイレットペーパホルダ。
【発明の詳細な説明】
【０００１】
【発明の属する技術分野】
本発明は、ロール状に巻き取られたトイレットペーパを保持するトイレットペーパホルダに関し、特に使用に供するトイレットペーパと予備のトイレットペーパとを上下に配置し、使用に供するトイレットペーパを使い終わった後に予備のトイレットペーパに切替可能なトイレットペーパホルダに関する。
【０００２】
【従来の技術】
従来、ロール状に巻き取られたトイレットペーパを保持するトイレットペーパホルダとしては、使用に供する１つのペーパを保持するものや、使用に供するペーパと予備のペーパを保持するものが用いられている。このうち、２つのペーパを保持するトイレットペーパホルダは、ペーパを上下または左右に配置して、一方のペーパを使い終わったら、予備のペーパを引き出して使用する。このように予備のペーパを備えておけば、取替の回数を減らすことができて、メンテナンスのコストを抑えることができる。このように２つのペーパを保持するホルダとしては、トイレットペーパについてのものではないが、例えば特許文献１のような構造がある。また、トイレットペーパホルダとしては例えば特許文献２や特許文献３に挙げるようなものがある。
【０００３】
【特許文献１】
米国特許第５２９４１９２号明細書
【特許文献２】
特開昭６２−２３８８２３号公報
【特許文献３】
特開昭６２−２７５４２０号公報
【０００４】
一方、学校や公共の場所に用いるトイレットペーパとして、一般に家庭で用いられている５０ｍ程度のトイレットペーパよりも大きな径からなり、５００ｍ以上の長さを持つジャンボトイレットペーパを用いることで、取替の回数を少なくすることができる。このジャンボトイレットペーパを保持するトイレットペーパホルダにも、１つ保持するものと２つ保持するものがある。このうち、２つ保持するものは、ジャンボトイレットペーパを用いた場合には設置スペースが大きくなるために、使用に供するペーパは小さなものを用い、予備として備えるペーパは未使用の大きなものを用いるようにした、親子タイプのホルダを用いることがある。
【０００５】
これら親子タイプのホルダにおいては、ジャンボトイレットペーパが通常のトイレットペーパに比べて非常に大型であるため、トイレットペーパの位置を固定して、大小いずれのペーパも使用可能な構造としている。この場合、小さいペーパを使い切らないうちに大きいペーパを使用して、２つのペーパのいずれも使われている状態であると、ペーパの取替えの際に、次回の取替えまでにペーパがなくならないように、２つともまだ使い切っていない状態でペーパを取替える必要がある。この場合に、使い切っていないペーパはその後の使い道がなく無駄が生じ、また取替の頻度も多くなる。そこで、小さいペーパの方をまず使い切って、それから予備の大きいペーパを使用することで、無駄なくペーパを使うことができ、また取替の頻度も少なくすることができる。
【０００６】
【発明が解決しようとする課題】
しかし、従来のトイレットペーパホルダにおいては、以下に述べる問題点を有していた。
親子タイプのホルダで、小さいペーパと大きいペーパを両方同時に使用可能な構造にすると、必ずしも小さいペーパから使われるとは限らず、むしろ大きいペーパから先に使われてしまうことが多く、ペーパに無駄を生じ易くなって、取替の頻度も多くする必要がある。これにより、ペーパのコストと共に、取替作業は人手により行われるので、人件費によるコストも余計にかかる結果となる。
【０００７】
本発明は、上記従来の問題点に鑑みてなされたものであり、大小のジャンボトイレットペーパを保持し、ペーパを無駄なく使うことができると共に、ペーパの取替えの頻度を少なくすることのできるトイレットペーパホルダを提供することを目的とする。
【０００８】
【課題を解決するための手段】
上記課題を解決するため、本発明に係るトイレットペーパホルダは、使用に供する小ペーパロールと予備として備える大ペーパロールとを上下に配置して納める箱形形状のホルダ本体からなり、該ホルダ本体の下部にペーパ取出口を有するトイレットペーパホルダであって、
上記ホルダ本体は箱中に作動板と該作動板を動作させる操作体を備え、
上記作動板は、小ペーパロール支持部を下部に、大ペーパロール支持部を上部にそれぞれ備えると共に、上記ホルダ本体に対し回動自在に支承されてなり、
上記操作体は上記ホルダ本体に対し回動自在に支承され、上記作動板の回動を一時的に静止するためのロック部と、該ロック部の作動板からの解除を一時的に停止するためのストッパ部を備えてなり、
上記操作体を少量以下となった小ペーパロールに上記ストッパ部が近接する位置まで回動させると、上記ロック部は作動板から解除され、上記作動板は回動支点を中心に回動し、上記大ペーパロール支持部に保持された大ペーパロールを上記ペーパ取出口から引出せるように構成してなることを特徴として構成されている。
【０００９】
また、本発明に係るトイレットペーパホルダは、上記作動板は対角線上に作動点を有すると共に、他の対角線上に支持点を有し、上記作動点は上記作動板をホルダ本体に対して回動自在に支承する回動支点と、上記ロック部に支承される支承部からなり、上記支持点は上記小ペーパロール支持部と大ペーパロール支持部からなることを特徴として構成されている。
【００１０】
さらに、本発明に係るトイレットペーパホルダは、上記操作体は該操作体をホルダ本体に対して回動自在に支承する回転軸を有し、該回転軸から延びる一方の腕には上記作動板を支承する上記ロック部を形成し、他方の腕には上記ストッパ部を形成してなることを特徴として構成されている。
【００１１】
さらにまた、本発明に係るトイレットペーパホルダは、上記作動板の支承部は切欠状に形成され、上記ロック部は上記支承部に略適合する形状に形成されてなることを特徴として構成されている。
【００１２】
そして、本発明に係るトイレットペーパホルダは、上記ロック部は操作体が回動すると上記支承部を介して作動板を僅かに持ち上げるような円弧状に形成されてなることを特徴として構成されている。
【００１３】
また、本発明に係るトイレットペーパホルダは、上記回動支点は上記ホルダ本体の側面壁近傍に設けられ、上記作動板は回動を終了した状態において上記回動支点の下方に上記小ペーパロール支持部を有すると共に、上記回動支点の側方に上記大ペーパロール支持部を有するように配置されてなることを特徴として構成されている。
【００１４】
さらに、本発明に係るトイレットペーパホルダは、上記操作体のロック部とストッパ部の間を滑らかな曲線にて構成してなり、上記作動板の支承部が上記操作体の曲線に当接しながら動作することを特徴として構成されている。
【００１５】
さらにまた、本発明に係るトイレットペーパホルダは、上記操作体はストッパ部からホルダ本体の外部に突出する持手部を有してなることを特徴として構成されている。
【００１６】
そして、本発明に係るトイレットペーパホルダは、上記操作体は回転軸をホルダ本体の外部に突出させてその先端に持手部を形成してなることを特徴として構成されている。
【００１７】
また、本発明に係るトイレットペーパホルダは、上記ホルダ本体はペーパ取出口近傍に設けられたヒンジ部を介して前面蓋を有し、該前面蓋には上記小ペーパロールまたは大ペーパロールを視認できる残量確認窓を形成し、該残量確認窓の内面側には上下方向の細長状に突出したペーパ押さえ部を形成してなることを特徴として構成されている。
【００１８】
さらに、本発明に係るトイレットペーパホルダは、上記ペーパ押さえ部は所定の残量になった上記大ペーパロールの外周位置と略同じ位置が上端となるように形成してなることを特徴として構成されている。
【００１９】
さらにまた、本発明に係るトイレットペーパホルダは、上記ホルダ本体はペーパ取出口近傍を垂下させた垂下板を備えると共に、上記前面蓋の下部をアーチ状に形成してなり、上記垂下板の下端と上記前面蓋のアーチ状に形成された下端にはペーパ切断部を形成してなることを特徴として構成されている。
【００２０】
そして、本発明に係るトイレットペーパホルダは、上記作動板の大ペーパロール支持部の下方には、上記回動支点から小ペーパロール支持部の上方に向かう曲線状のガイド壁を設け、上記大ペーパロールは大ペーパロール支持部と小ペーパロール支持部の間から引き出すように構成してなることを特徴として構成されている。
【００２１】
また、本発明に係るトイレットペーパホルダは、上記ホルダ本体における上記作動板の側面に対向する内側面には回動した上記作動板の動作を緩衝するクッション部を設けたことを特徴として構成されている。
【００２２】
さらに、本発明に係るトイレットペーパホルダは、上記クッション部は蛇腹状の中空体からなると共に、適所に空気孔を設けてなることを特徴として構成されている。
【００２３】
さらにまた、本発明に係るトイレットペーパホルダは、上記クッション部は板バネからなり、該板バネは一端を上記ホルダ本体の内側面に固定すると共に、他端を摺動自在としてなることを特徴として構成されている。
【００２４】
そして、本発明に係るトイレットペーパホルダは、上記作動板の回動支点は回動に対する抵抗力を発生するダンパを備えてなることを特徴として構成されている。
【００２５】
また、本発明に係るトイレットペーパホルダは、上記ホルダ本体はその底面に上記作動板の回動に略適合する案内溝を備えると共に、上記作動板は上記案内溝に対して摺動自在に保持される案内片を備えることを特徴として構成されている。
【００２６】
さらに、本発明に係るトイレットペーパホルダは、上記ホルダ本体はその底面に突起状の案内片を備えると共に、上記作動板はその動作に伴って上記案内片に対して摺動自在な案内溝を備えることを特徴として構成されている。
【００２７】
【発明の実施の形態】
本発明の実施の形態について、図面に沿って詳細に説明する。図１〜４は本実施形態におけるトイレットペーパホルダの、前面蓋２を取った状態における正面図であって、作動板５の動作段階を順に追って示したものである。また、図５は図４におけるＡ−Ａ断面図であり、図６は作動板５と操作体６の係止構造について示した斜視図である。さらに、図７は、本実施形態におけるトイレットペーパホルダの斜視図であり、図８は、本実施形態におけるトイレットペーパホルダの前面蓋２を開けた状態における斜視図である。
【００２８】
本実施形態におけるトイレットペーパホルダは、上下方向に長い直方体状の箱形形状からなるホルダ本体１に、小ペーパロール７と大ペーパロール８を上下方向に配置して保持する作動板５と、この作動板５を支承または動作させる操作体６を納めてなるものである。このホルダ本体１を、トイレの壁に固定して設置する。その設置位置は、便器の種類や配置によって、使用者がペーパを引き出しやすいような位置に適宜設定される。ここで、図１は初期状態における正面図であり、この図のように、初期状態において小ペーパロール７は下部に、大ペーパロール８は上部に配置される。なお、各ペーパの巻きの向きは、右回りまたは左回りのいずれでもよく、したがって小ペーパ端部７ａまたは大ペーパ端部８ａは、ペーパ取出口４の右側または左側に垂れ下がることとなる。
【００２９】
ホルダ本体１は、上述のように箱形形状からなり、四隅を大きく面取りして角部を滑らかな曲線にて構成した形状に形成されている。ホルダ本体１の下面中央付近にはトイレットペーパを取り出すためのペーパ取出口４を設け、そのペーパ取出口４の両側にはヒンジ部３０を設けて前面蓋２を開閉自在に支承している。ペーパ取出口４の両側面にはいずれも垂下板４ａが垂下され、この垂下板４ａの下端部には多数の小さな凹凸によってペーパ切断歯３３が形成されて、引き出されたペーパを切断する。また、前面蓋２の下部にはアーチ状の前面ペーパ切断部３４を有しており、ペーパ取出口４の側面だけでなく、前面でもペーパを切断できるようにしている。また、垂下板４ａ下端の前面側は傾斜状に形成され、前面ペーパ切断部３４と略連続状とされている。これにより、前面蓋２の前面ペーパ切断部３４がアーチ状に形成されることと併せて、前面側から手を差し入れる使用者に、ペーパの切断歯が触れにくいようにしている。
【００３０】
従来のトイレットペーパホルダにおいては、ペーパの切断歯は取出口の開口に直接形成されていた。しかし、このように構成すると、ペーパロールから引き出したペーパの、切断歯に対する角度が浅いために、ペーパをうまく切断できない場合がある。本実施形態においては、ペーパの切断歯を取出口よりも垂下させた垂下板４ａの下端部に形成しており、ペーパロールからの距離を長く取っているために、ペーパロールから引き出したペーパの、切断歯に対する角度を深くすることができ、ペーパの切断を確実に行うことができる。一方、垂下板４ａの垂下長さを大きくしていくと、後述するように使用者がホルダ本体１の中に手を差し入れる際に、ペーパに手が届きにくくなる。そこで、垂下板４ａの垂下長さは、引き出したペーパとペーパ切断歯３３の角度が略直角になる程度の長さとすることで、ペーパの切断が容易で、かつホルダ本体１の中に手を差し入れやすいようにすることができる。
【００３１】
垂下板４ａのペーパ切断歯３３は、図５に示すように垂下板４ａの下端部に凹凸を多数設けてなるものである。このペーパ切断歯３３の詳細斜視図を図９に示す。この図のように、凸部３３ａの内面側は略直角に形成されると共に、凸部３３ａの外面側は面取りして滑らかな曲線から形成される。ペーパはペーパ切断歯３３の内面側直角部分の先端に当接して切断される。一方、ペーパ切断歯３３の外面側は、滑らかな曲線からなるので、使用者の手が触れても怪我などを防ぐことができる。
【００３２】
また、ペーパ切断歯３３には凹部３３ｂを形成していることにより、ペーパをペーパ切断歯３３に沿って引く場合、ペーパが凹部３３ｂによって形成される凸部３３ａの角部３３ｃに引っかかって、ペーパ切断歯３３上で滑ることなく切断することができるようにされている。ペーパ切断歯３３は、凹部３３ｂを幅広に、すなわち凸部３３ａ間を広くすることで、ペーパはより角部に引っかかりやすくなる。一方、凹部３３ｂを幅狭に、すなわち凸部３３ａ間を狭くすることで、ペーパはきれいに切れやすくなる。そこで、垂下板４ａによってペーパを切断する場合、使用者は通常、奥側からペーパを切断するため、垂下板４ａの奥側は凹部３３ｂを幅広に、すなわち凸部３３ａ間を広く形成することで、ペーパの切り始めで切れやすいように構成されている。一方、垂下板４ａの前面側は凹部３３ｂを幅狭に、すなわち凸部３３ａ間を狭く形成することで、ペーパをきれいに切れるように構成されている。なお、前面蓋２の前面ペーパ切断部３４では、どの位置からペーパを切断するかは、使用者やペーパの巻きの向きによって異なるため、凹部３３ｂを幅広に形成することなく、全て一定間隔で凸部３３ａを形成する。
【００３３】
上述の初期状態においては、小ペーパロール７の小ペーパ端部７ａがペーパ取出口４に垂れ下がっている状態であり、使用者は小ペーパ端部７ａを引くことで小ペーパロール７を引き出して使用する。なお、ホルダ本体１及び前面蓋２は、いずれもＡＢＳ樹脂やポリカーボネート等の樹脂材により形成される。ただし、これに限られず、金属等によって形成してもよい。
【００３４】
また、前面蓋２には、その下端から上下方向中央付近にかけて、ホルダ本体１に保持されたトイレットペーパの残量を確認することのできる残量確認窓３を有している。残量確認窓３は、アクリル等の透明な部材からなり、小ペーパロール７及び大ペーパロール８の使用状態について確認することができる。ここで、残量確認窓３の内側には、上下方向に細長な突起状に形成されたペーパ押さえ部３５を形成している。小ペーパロール支持部１１または大ペーパロール支持部１２と残量確認窓３の間には、若干の隙間があるため、ペーパ押さえ部３５を設けることで、使用時にトイレットペーパが回転する際に回転軸方向にぐらつかないようにすることができる。
【００３５】
ペーパ押さえ部３の上端は、大ペーパロール８を使用に供している場合に、取替えるべき残量となった大ペーパロール８の外周位置と略同じ位置とされてなるものである。このように構成することで、大ペーパロール８の外周位置が、ペーパ押さえ部３の上端位置よりも上方となるまで残量が減っていた場合には、取替作業すべきであることが前面蓋２を開けることなく確認することができる。
【００３６】
前面蓋２の上端部におけるホルダ本体１に接する面には、係合部２ａ、２ａが所定の距離を隔てて２つ設けられており、ホルダ本体１の対応する部分に設けられた被係合部３１、３１に係合することで、前面蓋２はホルダ本体１に固定される。係合部２ａ、２ａを２つ設けることで、前面蓋２のねじれに対する取付強度を確保することができる。また、係合部２ａおよび被係合部３１の代わりに鍵部を設けて、鍵によって前面蓋２を固定するようにしてもよい。鍵を用いることで、不特定の人に前面蓋２を開けられることがないようにすることができる。これもある程度の距離を隔てて２つ設けることにより、前面蓋２のねじれに対する取付強度を確保できる。
【００３７】
ホルダ本体１に納められる作動板５は、四隅を有する略方形状に形成されてなり、その一隅は回動支点１０によりホルダ本体１に対して回転自在に支承される。また、回動支点１０の対角位置にあたる一隅には、切欠状に形成された支承部１３が設けられ、操作体６のロック部２１に係止、支承される。すなわち、小ペーパロール７を使用する場合に作動板５は、回動支点１０及びロック部２１によってホルダ本体１に支承され、作動しないように固定される。なお、支承部１３は操作体６のロック部２１を回動しないように支承する面を円弧状とされて係止部１３ａを形成している。
【００３８】
また、作動板５のその他の二隅には、それぞれ小ペーパロール支持部１１と大ペーパロール支持部１２が設けられる。これらはいずれもトイレットペーパの芯管７ａ、８ａの内周面に略適合する直径及び高さの略円柱状に形成される。トイレットペーパを円滑に交換するためには、トイレットペーパの芯管７ａ、８ａの内周より若干小さい直径とすることが望ましい。ただし、あまり小さくすると、トイレットペーパを引き出す際に充分保持されないこととなる。したがって、トイレットペーパの芯管７ａ、８ａの内周より５〜１０％程度小さい直径とする。
【００３９】
作動板５は、小ペーパロール７を使用に供する際には、小ペーパロール７及び大ペーパロール８をそれぞれ各保持部に装着した状態で、小ペーパロール支持部１１が下端に、大ペーパロール支持部１２が上端となるよう配置し、係止部１３ａと操作体６のロック部２１を係合させて、図６に示すように回動支点１０及びロック部２１によってホルダ本体１に支承される。
【００４０】
ロック部２１によって支承されない場合には、作動板５は回動支点１０によってのみ支承され、自重によって側面がホルダ本体１の壁面に当接するまで回動し、その位置で停止する。この状態において小ペーパロール支持部１１は、回動支点１０の下方に位置し、大ペーパロール支持部１２は、回動支点１０の側方に位置する。すなわち、作動板５の回動によって、小ペーパロール支持部１１は、主に横方向に動いてホルダ本体１の壁面近傍に位置すると共に、大ペーパロール支持部１２は、主に縦方向に動いてホルダ本体１の中央部付近に位置することとなる。この動作により、小ペーパロール７はホルダ本体１のペーパ取出口４から見て側方に追いやられ、一方、大ペーパロール８はホルダ本体１のペーパ取出口４に近づくので、大ペーパ端部８ａをペーパ取出口４から引き出すことができるようになる。
【００４１】
作動板５の大ペーパロール８の下方には、回動支点１０から小ペーパロール支持部１１の上方に向かい、大ペーパロール８の外周に略適合した円弧状の形状とされてなるガイド壁１４を設けている。ガイド壁１４は、ホルダ本体１と略同高とされて、大ペーパ端部８ａが小ペーパロール７に巻込まれないようにしている。すなわち、大ペーパロール８が使用に供される場合には、大ペーパ端部８ａは小ペーパロール７との隙間側にあって、小ペーパロール７と大ペーパロール８の間の隙間を通ってペーパ取出口４から引き出されるので、大ペーパ端部８ａが小ペーパロール７の隙間側でなく、逆側にあった場合には、小ペーパロール７に干渉されてペーパを引き出しにくくなる。そこで、小ペーパロール７と大ペーパロール８との隙間側とは逆側に大ペーパ端部８ａが入り込むのを防ぐため、ガイド壁１４が設けられている。
【００４２】
次に、ホルダ本体１に納められる操作体６について、説明する。操作体６は、回転軸２０によってホルダ本体１に回動自在に支承されており、この回転軸２０から二方向に向かって腕が伸びている。回転軸２０から延びる一方の腕の先端部には、ロック部２１が形成され、上述した作動板５の係止部１３ａに係止される。ロック部２１は、作動板５の係止部１３ａに略適合するように先端部を円弧状に形成されてなる。このように構成することで、回転軸２０を中心に操作体６が回動する際には、ロック部２１の先端部は円弧状の軌跡を描いて回動することから、円滑にその動作を行うことができる。ただし、ロック部２１は、回転軸２０を中心とした円弧とはせず、回転軸２０よりも作動板５寄りの点を中心とした円弧状に形成される。このようにすることで、図２に示すようにロック部２１が作動板５の係止部１３ａから外れるためには、作動板５を若干持ち上げることが必要になり、操作体６を回動させるための抵抗になるので、操作体６の動作を安定させることができる。
【００４３】
回転軸２０から延びるもう一方の腕の先端部には、持手部２３が形成されて、ホルダ本体１の外部に突出している。ホルダ本体１には、持手部ガイド孔３２がホルダ本体１の角部からペーパ取出口４にかけて細長状に形成されており、持手部２３はこの持手部ガイド孔３２からホルダ本体１の外部に突出して操作可能に配置されている。持手部２３は、操作体６のロック部２１が作動板５の係止部１３ａに係合されている状態においては、持手部ガイド孔３２におけるホルダ本体１の角部側に配置される。そして、小ペーパロール７と大ペーパロール８を切換える際には、持手部２３をホルダ本体１のペーパ取出口４側の方向にスライドさせることで、操作体６を回動させることができる。なお、持手部２３の操作とその後の動作については、トイレットペーパホルダの動作の説明において、より詳細に説明する。
【００４４】
回転軸２０と持手部２３の中間には、ホルダ本体１の内側に向かって突出するストッパ部２２を有しており、その先端には当接部２２ａを形成されている。持手部２３を操作すると、ストッパ部２２はホルダ本体１の内側方向に動いて、小ペーパロール７の外周に当接する。ロック部２１と当接部２２ａの間は、滑らかな曲線にて形成されており、一方、当接部２２ａと持手部２３の間は、略直線形状にて形成されている。ストッパ部２２は、使い終わった小ペーパロール７に当接部２２ａを当接させる位置において、ロック部２１が作動板５の係止部１３ａから外れるような突出高さとされてなる。
【００４５】
作動板５は、操作体６の操作により、ホルダ本体１の内側面に当接するまで回動支点１０を中心に回動する。その動作は重力によるため、作動板５はホルダ本体１に対して衝撃を与えることになる。これを緩和するため、図１に示すようにホルダ本体１における作動板５の側面に対向する内側面には、クッション部４０を設けている。クッション部４０は、蛇腹状の中空体からなり、一端はホルダ本体１に固定されている。また、作動板５との当接面以外の適所に空気孔が設けられており、回動した作動板５がクッション部４０を押圧すると、その内部の空気が空気孔から外部に放出されて、図３及び図４に示すように、クッション部４０は次第に縮小する。クッション部４０の動作は、作動板５の動作に比べて緩やかなので、作動板５のホルダ本体１に対する動作を緩衝し、衝撃を緩和することができる。一方、作動板５には、ゴム板１６を設けており、このゴム板１６によっても作動板５のホルダ本体１に対する衝撃の緩和が図られる。
【００４６】
クッション部４０としては、このように蛇腹状の中空体を用いる他に、板バネを用いるようにしてもよい。図１０には、板バネ４１を用いた場合について示す。板バネ４１は、円弧状に形成され、その一端はホルダ本体１に固定される。また、他端はホルダ本体１の内側面を摺動自在とされている。図１１には、作動板５の動作時における板バネ４１の動作について示している。図１１Ａに示すように、作動板５の動作前の状態において、板バネ４１は作動板５に近接した位置に配置される。図１１Ｂに示すように、作動板５が回動支点１０を中心に回動を始めると、作動板５の側面は板バネ４１を押圧し、板バネ４１は摺動自在とされた一端が移動する。図１１Ｃに示すように、作動板５が回動を終了した状態において、板バネ４１は略直線状となる。板バネ４１の動作は、作動板５の動作に比べて緩やかなので、蛇腹状の中空体を用いた場合と同様に、作動板５のホルダ本体１に対する動作を緩衝し、衝撃を緩和することができる。なお、クッション部４０としては、このように衝撃を緩和できるものであれば、スポンジなど他のものを用いてもよい。
【００４７】
さらに、上述のようにホルダ本体１にクッション部４０を設けることで作動板５の動作を緩和する他に、作動板５の回動支点１０に回動に対する抵抗力を発生するダンパを設けることにより、作動板５の動作を緩衝して、作動板５のホルダ本体１に対する衝撃を緩和するようにすることもできる。
【００４８】
また、ホルダ本体１には、その底面に作動板５の回動に略適合するように形成された案内溝９を設ける。そして、作動板５にはその案内溝９に摺動自在に保持される案内片１５を設けて、作動板５の回動に伴って案内溝９内を摺動する。作動板５の回動の際には、案内片１５は案内溝９との間に摩擦力を生じるため、作動板５の動作に対する抵抗力を発生することになる。このため、作動板５の動作を緩やかにすることができ、これら案内溝９及び案内片１５によっても、作動板５のホルダ本体１に対する衝撃を緩和することができる。なお、作動板５に案内溝９を設けると共に、ホルダ本体１に案内片１５を設けるようにしてもよい。
【００４９】
次に、本実施形態におけるトイレットペーパホルダの動作について説明する。まず、初期状態においては、図１のように小ペーパロール７を使用に供しており、ホルダ本体１の中では小ペーパロール７が下部に、大ペーパロール８が上部にそれぞれ配置される。作動板５は、回動支点１０と操作体６のロック部２１に支承され、操作体６は持手部２３がホルダ本体１の角部に配置される位置とされる。この状態においては、ロック部２１は、作動板５の係止部１３ａに完全に係止しており、作動板５が回動しないように支えている。
【００５０】
持手部２３をホルダ本体１の角部からペーパ取出口４の方向に操作して、操作体６を回転軸２０を中心に回動させると、ストッパ部２２の当接部２２ａは、小ペーパロール７に当接する。小ペーパロール７が残っている状態でこの操作を行った場合、ロック部２１が係止部１３ａから外れる前にストッパ部２２の当接部２２ａが小ペーパロール７に当接し、持手部２３をそれ以上、ペーパ取出口４の方向に操作させることはできず、作動板５を動作させることはできないようになっている。
【００５１】
図２のように、小ペーパロール７を使い終わった状態において、持手部２３を操作し、操作体６を回転軸２０を中心に回動させると、ストッパ部２２の当接部２２ａが使い終わった小ペーパロール７、すなわち小ペーパロール７の芯管７ａに当接し、それと同時にロック部２１は作動板５の係止部１３ａから外れる。すなわち、ストッパ部２２が使い終わった小ペーパロール７の芯管７ａに当接する位置まで持手部２３を操作することで、ロック部２１は作動板５の係止部１３ａから外れて作動板５は動作を開始する。このように構成することで、小ペーパロール７を使い終わらないうちに持手部２３を操作しても、ロック部２１が作動板５の係止部１３ａから外れる前に、ストッパ部２２が小ペーパロール７に当接してそれ以上操作できないので、小ペーパロール７を使い終わらなければペーパの切替ができないようにすることができる。
【００５２】
ロック部２１が作動板５の係止部１３ａから外れると、作動板５はその支えの一方を失うので、自重によって回動支点１０を中心として回動を始める。図３には作動板５が動作中の状態における図を示す。この図のように、ロック部２１が外れた作動板５は、支承部１３を有する一隅の角部が操作体６に当接しながら回動し、小ペーパロール７は、ホルダ本体１における操作体６とは反対側の角部に向かって移動し、一方大ペーパロール８は、ホルダ本体１の上部から中央部付近に向かって移動する。また、作動板５はホルダ本体１の内側面に設けられたクッション部４０によりその動作は緩和され、ホルダ本体１に対して緩やかに当接する。さらに、作動板５が当接する操作体６は、作動板５の動作に伴い元の位置に向かって回動する。
【００５３】
以上の動作により、作動板５の動作が完了した状態を図４に示す。この図のように、作動板５は回動支点１０と小ペーパロール支持部１１を結ぶ一辺が、ホルダ本体１の側面に当接するまで回動し、小ペーパロール７はホルダ本体１の操作体６とは反対側の角部に納められる。また、大ペーパロール８は、ホルダ本体１の略中央部に位置し、大ペーパ端部８ａをペーパ取出口４から手を差し入れて引き出すことができるようになる。
【００５４】
大ペーパロール８を使用に供している場合において、その残量は前面蓋２の残量確認窓３によって前面蓋２を開けることなく、目視で確認することができる。ペーパの取替作業を行う際には、残量確認窓３から小ペーパロール７が見えているか、大ペーパロール８の外周が残量確認窓３の内面側に設けられたペーパ押さえ部３５の範囲にある場合には、まだ残量は十分にあるのでそのまま取替は行わず、大ペーパロール８の外周がペーパ押さえ部３５の上端より上にある場合には、残量が少なくなっているので、前面蓋２を開いて大ペーパロール８を大ペーパロール支持部１２から取り外し、小ペーパロール支持部１１に付け替える。すなわち、残量の少なくなった大ペーパロール８は、その後小ペーパロール７として使用される。そして、大ペーパロール支持部１２には、未使用の大ペーパロール８を取付け、作動板５および操作体６を初期状態に戻して前面蓋２を閉める。このようにして、再び小ペーパロール７の使用を開始する。
【００５５】
以上のように、小ペーパロール７を使い終わってから大ペーパロール８に切替え、さらに大ペーパロール８の残量が少なくなったら小ペーパロール７として使用することにより、トイレットペーパの使用に無駄がなく、またペーパの取替作業も大ペーパロール８の残量が少なくなった時点で行えばよいので、その頻度を少なくすることができ、トイレットペーパおよびその取替作業のコストを、いずれも抑えることができる。
【００５６】
以上、本発明についての実施形態について説明したが、本発明は本実施形態に限られるものではなく、その技術的思想の範囲内において様々に適用されうるものである。
例えば、本実施形態においては、操作体６を操作するために、ホルダ本体１の側面から外部に突出する持手部２３を形成しているが、操作体６は回転軸２０を中心に回動するように操作されるものであり、持手部２３ではなく回転軸２０をホルダ本体１の前面に突出させて、突出した先端部にはレバー部ないしハンドル部を設けて、それにより操作体６を回動させるようにしてもよい。
【００５７】
また、本実施形態においては、作動板５の係止部１３ａは、切欠状に形成しているが、係止部１３ａは操作体６に支承され、作動板５が回動しないように固定されるように構成されるものであり、切欠状ではなく逆に作動板５から突出するように形成して、操作体６に支承されるようにしてもよい。
さらに、ホルダ本体１を本実施形態より大きく形成して、中に納めるペーパロールを、いずれも未使用の大ペーパロールとすることもできる。
【００５８】
【発明の効果】
以上のように、本発明によれば、箱形形状のホルダ本体に回動自在な作動板と作動板を支承する操作体を備え、操作体にはストッパ部を設けて少量以下となった小ペーパロールにストッパ部が近接することでロック部が作動板から解除され、ペーパロールの切替えが行われることにより、小ペーパロールが少量以下となるまでは大ペーパロールを使用できないので、ペーパに無駄を生じることがなく、ペーパの取替作業の頻度も少なくすることができるので、トイレットペーパおよびその取替作業にかかるコストを低減することができるという効果がある。
【００５９】
また、本発明によれば、作動板の支承部は切欠状に形成され、操作体のロック部は当接部に略適合し、作動板を僅かに持ち上げるような円弧状に形成されてなることにより、操作体の操作によって作動板を動作させる際に、その動作を円滑に行うことができ、かつ操作体の動作を安定して行うことができる。
【００６０】
さらに、本発明によれば、回動支点はホルダ本体の側面壁近傍に設けられ、回動を終了した作動板は回動支点の下方に小ペーパロール支持部を有すると共に、回動支点の側方に大ペーパロール支持部を有するように配置されてなることにより、作動板の回動によって、小ペーパロール支持部は主に横方向に移動し、大ペーパロール支持部は主に縦方向に移動するので、小ペーパロールと大ペーパロールの切替を簡易な構成にて行うことができる。
【００６１】
さらにまた、本発明によれば、前面蓋に残量確認窓を有するので、前面蓋を開けることなく、ペーパの残量を目視して確認することができる。
そして、残量確認窓の内面側にペーパ押さえ部を形成し、その上端を所定の残量になった大ペーパロールの外周位置とすることで、ペーパの取替時期を容易に確認することができる。
【００６２】
そして、本発明によれば、ホルダ本体における作動板の側面に対向する内側面には回動した作動板の動作を緩衝するクッション部を設けたことにより、作動板のホルダ本体に対する衝撃を緩和することができる。また、作動板の回動支点に回動に対する抵抗力を発生するダンパを設けることによっても、作動板のホルダ本体に対する衝撃を緩和することができる。
【図面の簡単な説明】
【図１】本実施形態におけるトイレットペーパホルダの、前面蓋を取った正面図である。
【図２】本実施形態におけるトイレットペーパホルダの、作動板動作直前の状態における、前面蓋を取った正面図である。
【図３】本実施形態におけるトイレットペーパホルダの、作動板動作中の状態における、前面蓋を取った正面図である。
【図４】本実施形態におけるトイレットペーパホルダの、作動板動作後の状態における、前面蓋を取った正面図である。
【図５】図４におけるＡ−Ａ断面図である。
【図６】本実施形態におけるトイレットペーパホルダの内部構造を示した斜視図である。
【図７】本実施形態におけるトイレットペーパホルダの斜視図である。
【図８】本実施形態におけるトイレットペーパホルダの前面蓋を開けた斜視図である。
【図９】本実施形態におけるトイレットペーパホルダのペーパ切断歯の詳細斜視図である。
【図１０】クッション部に板バネを用いた場合のトイレットペーパホルダの、前面蓋を取った正面図である。
【図１１】クッション部に板バネを用いた場合における板バネの動作を示した図である。
【符号の説明】
１    ホルダ本体
２    前面蓋
３    残量確認窓
４    ペーパ取出口
４ａ  垂下板
５    作動板
６    操作体
７    小ペーパロール
８    大ペーパロール
９    案内溝
１０    回動支点
１１    小ペーパロール支持部
１２    大ペーパロール支持部
１３    支承部
１３ａ  係止部
１４    ガイド壁
１５    案内片
２０    回転軸
２１    ロック部
２２    ストッパ部
２２ａ  当接部
２３    持手部
３３    ペーパ切断歯
３４    前面ペーパ切断部
３５    ペーパ押さえ部
４０    クッション部
４１    板バネ
【図１】
2004243098.tif 000003
【図２】
2004243098.tif 000004
【図３】
2004243098.tif 000005
【図４】
2004243098.tif 000006
【図５】
2004243098.tif 000007
【図６】
2004243098.tif 000008
【図７】
2004243098.tif 000009
【図８】
2004243098.tif 000010
【図９】
2004243098.tif 000011
【図１０】
2004243098.tif 000012
【図１１】
2004243098.tif 000013